(57)【要約】【課題】  外付け通信端末のオフフックを的確に把握することができるファクシミリ通信装置を提供する。【解決手段】  アイドル時の回線電圧Ｖｉから一定幅下がった電圧を外付け通信端末がオフフックした電圧Ｖｔｈとして認識するファクシミリ通信装置において、Ｖｉを測定しているときに電圧が最低アイドル電圧Ｖｉ＿ｍｉｎ以下の場合は、Ｖｔｈとして、計測した回線電圧とは無関係なデフォルトの電圧Ｖｔｈ＿ｄｅｆを用いる(制御部１の機能)。【選択図】  図１
2005218065.tif 000002
【特許請求の範囲】
【請求項１】
アイドル時の回線電圧Ｖｉから所定の値降下した電圧を外付け通信端末がオフフックした電圧Ｖｔｈとして認識するファクシミリ通信装置において、前記回線電圧Ｖｉを測定しているときに電圧が最低アイドル電圧Ｖｉ＿ｍｉｎ以下の場合は、前記通信端末がオフフックした電圧Ｖｔｈとして、計測した回線電圧とは無関係なデフォルトの電圧Ｖｔｈ＿ｄｅｆを用いることを特徴とするファクシミリ通信装置。
【請求項２】
請求項１のファクシミリ通信装置において、回線電圧が０Ｖになったら外付け通信端末をオンフックと認識し、前記通信端末がオフフックした電圧Ｖｔｈを前記回線電圧とは無関係なデフォルトの電圧Ｖｔｈ＿ｄｅｆに設定し直すことを特徴とするファクシミリ通信装置。
【請求項３】
請求項１のファクシミリ通信装置において、回線電圧が前記通信端末がオフフックした電圧Ｖｔｈ以下になって外付け通信端末がオフフックと認識した後、回線電圧が緩やかに下降する場合には外付け通信端末のオフフックは誤検出とし、外付け通信端末をオンフックと認識することを特徴とするファクシミリ通信装置。
【請求項４】
請求項１のファクシミリ通信装置において、一度前記アイドル時の回線電圧Ｖｉ、通信端末がオフフックした電圧Ｖｔｈが確定したら、電源オフもしくはユーザが故意にそれを削除するまでその値の変更を禁止することを特徴とするファクシミリ通信装置。
【請求項５】
請求項１のファクシミリ通信装置において、ある一定時間オフフックが連続した場合は回線を閉結し、ダイヤルトーンを検出したら外付け通信端末をオンフックと認識し、前記通信端末がオフフックした電圧Ｖｔｈを前記回線電圧とは無関係なデフォルトの電圧Ｖｔｈ＿ｄｅｆに設定し直すことを特徴とするファクシミリ通信装置。
【発明の詳細な説明】
【技術分野】
【０００１】
本発明は、ファクシミリ通信装置に関するものである。
【背景技術】
【０００２】
ファクシミリ通信装置において、従来、外付け通信端末のオフフック検出は特開平９−２７８６７号公報にあるように、電圧もしくは電流を計測してオフフック検出としている。ここでオフフック検出とみなす電圧、電流については回路構成により決まり、変更できない。
また近年、ＳｉＤＡＡ（Silicon Direct Access Arrangement）というモデムと電話回線のインタフェースが登場した。このＳｉＤＡＡを用いることにより回線電圧を容易に計測することができるようになった。
また、オフフック検出関連特許として、本出願人による特許第２６４６３６０号がある。さらに本出願人による特願２００３−７６５０１では、以下の技術が提案されている。
（１）アイドル状態で電圧を測り、それ以下の電圧になったら外付け通信装置をオフフックと認識する。
（２）回線を閉結してダイヤルトーンを検出したらその電圧をオフフック電圧とする。
【特許文献１】特開平９−２７８６７号公報
【特許文献２】特許第２６４６３６０号
【特許文献３】特願２００３−７６５０１
【発明の開示】
【発明が解決しようとする課題】
【０００３】
従来技術では、以下の問題があった。
（１）アイドルの回線電圧を測る際に外付け通信端末がオフフックしていた場合を考慮していないので、正しいオフフック電圧が求まらないことがあった。
（２）回線抜けに対して考慮していないので、回線抜けの場合には外付け通信端末をオフフックと誤認識していた。
（３）回線抜けをした場合、環境によってはすぐ０Ｖにならないことがある状況に対応していなかった。
（４）アイドル状態に復帰する度にアイドルの回線電圧を測るが、環境によってはしばらくの間正しく計測できないことがあり、外付け通信端末がオンフックでもオフフックと誤認識することがあった。
（５）外付け通信端末がオンフックであるのにもかかわらずオフフックと誤認識した場合、それを修正する方法はなかった。
本発明は、外付け通信端末のオフフックを的確に把握することができるファクシミリ通信装置を提供することを目的とする。
【課題を解決するための手段】
【０００４】
上記目的を達成するために、請求項１記載の発明は、アイドル時の回線電圧Ｖｉから所定の値降下した電圧を外付け通信端末がオフフックした電圧Ｖｔｈとして認識するファクシミリ通信装置において、前記回線電圧Ｖｉを測定しているときに電圧が最低アイドル電圧Ｖｉ＿ｍｉｎ以下の場合は、前記通信端末がオフフックした電圧Ｖｔｈとして、計測した回線電圧とは無関係なデフォルトの電圧Ｖｔｈ＿ｄｅｆを用いることを特徴とする。
請求項２記載の発明は、請求項１のファクシミリ通信装置において、回線電圧が０Ｖになったら外付け通信端末をオンフックと認識し、前記通信端末がオフフックした電圧Ｖｔｈを前記回線電圧とは無関係なデフォルトの電圧Ｖｔｈ＿ｄｅｆに設定し直すことを特徴とする。
請求項３記載の発明は、請求項１のファクシミリ通信装置において、回線電圧が前記通信端末がオフフックした電圧Ｖｔｈ以下になって外付け通信端末がオフフックと認識した後、回線電圧が緩やかに下降する場合には外付け通信端末のオフフックは誤検出とし、外付け通信端末をオンフックと認識することを特徴とする。
請求項４記載の発明は、請求項１のファクシミリ通信装置において、一度前記アイドル時の回線電圧Ｖｉ、  通信端末がオフフックした電圧Ｖｔｈが確定したら、電源オフもしくはユーザが故意にそれを削除するまでその値の変更を禁止することを特徴とする。
請求項５記載の発明は、請求項１のファクシミリ通信装置において、ある一定時間オフフックが連続した場合は回線を閉結し、ダイヤルトーンを検出したら外付け通信端末をオンフックと認識し、前記通信端末がオフフックした電圧Ｖｔｈを前記回線電圧とは無関係なデフォルトの電圧Ｖｔｈ＿ｄｅｆに設定し直すことを特徴とする。
【発明の効果】
【０００５】
本発明では、アイドル時の回線電圧Ｖｉから一定幅下がった電圧を外付け通信端末がオフフックした電圧Ｖｔｈとして認識するファクシミリ通信装置において、Ｖｉを測定しているときに電圧が最低アイドル電圧Ｖｉ＿ｍｉｎ以下の場合は、Ｖｔｈとして、計測した回線電圧とは無関係なデフォルトの電圧Ｖｔｈ＿ｄｅｆを用いることで、所期の目的を達成することができる。
【発明を実施するための最良の形態】
【０００６】
以下、図面を参照して、本発明の実施形態を詳細に説明する。
図１は本発明の実施形態に係るファクシミリ装置のブロック図である。図示したようにこのファクシミリ装置１００は、内蔵されたプログラムに従って装置全体を管理、制御する制御部１、操作者がファクシミリ装置に指示を与えるためのキーボードおよびファクシミリ装置が操作者にメッセージ等を与えるための表示手段などから成る操作表示部２、画情報などをページ単位で一時的に格納しておくページメモリ（ＲＡＭ）３、原稿上の画像を読み取るスキャナ４を備えている。
また同様にこのファクシミリ装置１００は、画情報の圧縮再生を行う符号化復号化部（ＤＣＲ）５、ＤＣＲ５によって復号化された受信画情報を、ページメモリ３を介して出力するプロッタ６、不揮発性メモリや大容量ハードディスクなどからなる画情報等記憶部（ＳＡＦ）７、Ｇ３伝送制御手順に従ってファクシミリ送受信を行う通信制御部（ＣＣＵ）８、低速モデムおよび高速モデムおよびダイヤルトーンなどのトーン検出機能を備えたモデムＤＳＰ９、モデムと回線を接続するインタフェースＳｉＤＡＡ１０などを備えている。
上記の如く構成されたファクシミリ装置１００において、通信回線を通して受信された文書データ（受信文書）は、ＳｉＤＡＡ１０を通りモデムＤＳＰ９で復号化され、ＣＣＵ８を通してＤＣＲ５に送られ、画像再生された後、ペ−ジメモリ３上に１ページ分の画像データとして展開される。
ペ−ジメモリ３上に展開された画像データは、プロッタ６にて印刷され、あるいは図示しないインタフェース（Ｉ／Ｆ）手段を介してコンピュ−タなどのホスト装置へ転送される。一方、スキャナ４で読み取られた画像データは、ペ−ジメモリ３上に展開され、ＤＣＲ５で画像圧縮された後、ＣＣＵ８を通してモデムＤＳＰ９に送られ、符号化されてＳｉＤＡＡ１０を通って通信回線に送出される。
図２はファクシミリ通信ネットワークを示す図である。図１に示すファシミリ装置（ＦＡＸ）１００と外部通信端末例としての電話（ＴＥＬ）１０１は公衆回線１０２に接続されている。
【０００７】
図３はアイドル時の回線電圧を測定するフローチャートである。なおこのフローの前にＶｔｈ＿ｄｅｆ、Ｖｉ＿ｍｉｎ、αは予めプログラムに組み込むか、ユーザインタフェースにより与えられているものとする。そしてまずアイドル時の回線電圧を計測する場合、Ｖｔｈ＝Ｖｔｈ＿ｄｅｆとする（処理３０１）。次にある一定時間、回線電圧を計測する（処理３０２）。そして回線電圧がＶｉ＿ｍｉｎ以下であるか判断する（Ｓ３０３）。Ｙｅｓならば３０２に遷移する。Ｎｏならばアイドル時の回線電圧をＶｉとし、Ｖｔｈ＝Ｖｉ−αとする（処理３０４）。
図４はアイドル時のフローチャートである。なおこのフローの前にＴ０は予めプログラムに組み込むか、ユーザインタフェースにより与えられているものとする。まず回線電圧を測定する（Ｓ４０１）。そして０Ｖか判断する（Ｓ４０２）。Ｙｅｓならば外付け通信端末をオフフックと認識しＶｔｈ＝Ｖｔｈ＿ｄｅｆとした上、Ｓ４０３に遷移する。
Ｓ４０２においてＮｏの場合、測定した回線電圧がＶｔｈ以下か判断する（Ｓ４０４）。そこでＮｏならばＳ４０１に遷移する。Ｙｅｓならばタイマーをスタートさせ（Ｓ４０５）、外付け通信端末をオフフックと認識する（Ｓ４０６）。そして回線電圧を測定して、それが下降しているか判断する（Ｓ４０７）。Ｙｅｓならば、外付け通信端末をオンフックと認識し（Ｓ４０８）、Ｓ４０１に遷移する。Ｎｏならば経過時間がＴＯを超えているか判断する（処理４０９）。ＮｏならばＳ４０６に遷移する。ＹｅｓならばＳ４０３へ遷移する。
【０００８】
図５はアイドルの回線電圧を求めるかどうか判断する処理のフローチャートである。最初にＶｉ、Ｖｔｈをセットした履歴があるかチェックする（Ｓ５０１）。Ｙｅｓの場合は特にＶｉ、Ｖｔｈを変更することはない。Ｎｏの場合にはＳ３０１へ遷移する。（Ｓ３０１）
なお公衆回線に接続された例を示したが、ＰＢＸなど他の交換機に接続されても同様な処理が可能である。
本発明によれば、ある電圧以上でなければアイドル時の電圧としないので、たまたまアイドル時の電圧計測時に外付け通信端末がオフフックしていてもアイドル時の電圧とすることがない。そのため誤検出なく外付け通信端末のオフフックを検出できる。
また、回線電圧０Ｖを外付け通信端末がオンフックと認識するので、モジュラー抜けのように回線がネットワークからはずれた場合にも外付け通信端末をオフフックとすることがない。
また、回線電圧が緩やかに下降する場合には外付け通信端末をオンフックと認識するので、モジュラー抜けのように回線がネットワークから外れかつ外付け通信端末の電気容量により０Ｖ以外の電圧が測定されてしまう場合にも外付け通信端末をオフフックとすることがない。
また、Ｖｉ、Ｖｔｈを不必要に測定し直さないため、外付け通信端末の電気容量により電圧が高めに測定されてしまう場合（例えば外付け通信端末がオンフックした直後にＶｉを測定）にもＶｉ、Ｖｔｈを誤って設定し直すことがなくなる。
また、外付け通信端末のオフフックと認識している場合にも、回線を閉結してダイヤルトーンの検出有無により誤検出でないかチェックすることが可能となる。
【図面の簡単な説明】
【０００９】
【図１】本発明の実施形態に係るファクシミリ装置のブロック図である。
【図２】ファクシミリ通信ネットワークを示す図である。
【図３】アイドル時の回線電圧を測定するフローチャートである。
【図４】アイドル時のフローチャートである。
【図５】アイドルの回線電圧を求めるかどうか判断する処理のフローチャートである。
【符号の説明】
【００１０】
１  制御部
【図１】
2005218065.tif 000003
【図２】
2005218065.tif 000004
【図３】
2005218065.tif 000005
【図４】
2005218065.tif 000006
【図５】
2005218065.tif 000007